(57)【要約】【課題】  第１記録媒体に記録される符号化信号を、小さな符号量の符号化信号に少ない符号化歪で再符号化して第２記録媒体に記録するようにした記録再生装置を実現する。【解決手段】  予め第１記録媒体に記録された符号化信号の記録時間に対する符号化難易度の関係を難易度情報取得手段１８１で得、符号化難易度の極大値及びその近辺の時間を難易時間帯として難易時間帯検出手段１８２で複数検出し、複数の難易時間帯をプレビュー再生時間帯として再生時間帯設定手段１８３で設定し、設定されたプレビュー再生時間帯の符号化信号を第１記録媒体から読出して再符号化し、第２記録媒体に記録するプレビュー信号としてプレビュー信号再生手段１８４で再生し、視覚上符号化歪の生じる時間帯の符号化信号の符号量を変更して少ない符号化歪で再符号化された符号化信号を第２記録媒体に記録するようにして実現した。【選択図】      図１
2008130206.tif 000002
【特許請求の範囲】
【請求項１】
第１の記録媒体に記録された符号化画像信号を、前記第１の記録媒体よりも記録容量が小さい第２の記録媒体に前記符号化画像信号とは異なる高符号化率に変換して記録再生する記録再生装置において、
記録すべき画像信号を符号化した前記符号化画像信号を前記第１の記録媒体に記録する際に、前記符号化画像信号の単位時間当たりの情報量を測定する測定部と、
前記符号化画像信号の単位時間当たりの情報量を検出し、この検出されたピークの両側に存在し、かつ前記ピークのレベルよりも所定割合低いレベルの２点間に存在する前記第１の記録媒体に記録された前記符号化画像信号のみを再生する再生手段と、
前記再生手段で再生された前記符号化画像信号に基づいて、前記第１の記録媒体に記録された前記符号化画像信号を前記第２の記録媒体に記録可能にする符号化率を決定する符号化決定手段と、
前記符号化決定手段で決定された符号化率で、前記第１の記録媒体に記録されている前記符号化画像信号を前記第２の記録媒体に記録する記録手段と、
を備えたことを特徴とする記録再生装置。
【請求項２】
請求項１に記載の記録再生装置であって、
前記再生手段で再生される前記符号化画像信号は、前記ピークのレベルよりも所定割合低いレベルの２点間に存在する前記第１の記録媒体に記録された前記符号化画像信号の代わりに、前記ピークのレベルよりも所定割合低いレベルの２点間のうちの一方のレベル位置と前記ピークの位置に存在する信号であることを特徴とする記録再生装置。
【請求項３】
第１の記録媒体に記録された符号化画像信号を、前記第１の記録媒体よりも記録容量が小さい第２の記録媒体に前記符号化画像信号とは異なる高符号化率に変換して記録再生する記録再生方法において、
記録すべき画像信号を符号化した前記符号化画像信号を前記第１の記録媒体に記録する際に、前記符号化画像信号の単位時間当たりの情報量を測定し、
前記符号化画像信号の単位時間当たりの情報量を検出し、この検出されたピークの両側に存在し、かつ前記ピークのレベルよりも所定割合低いレベルの２点間に存在する前記第１の記録媒体に記録された前記符号化画像信号のみを再生し、
前記再生された前記符号化画像信号に基づいて、前記第１の記録媒体に記録された前記符号化画像信号を前記第２の記録媒体に記録可能にする符号化率を決定し、
前記決定された符号化率で、前記第１の記録媒体に記録されている前記符号化画像信号を前記第２の記録媒体に記録するようになすことを特徴とする記録再生方法。
【発明の詳細な説明】
【技術分野】
【０００１】
本発明は、ディジタル映像信号を記録して再生する装置に関し、特に符号化して記録したディジタル映像信号を再生し、符号化レートを変換して他の記録媒体に記録を行う記録再生装置および記録再生方法に関する。
【背景技術】
【０００２】
最近になり、受信される映像信号を符号化してハードディスクに記録するハードディスク記録機や、符号化された映像信号をＤＶＤに記録するＤＶＤ記録装置が市場導入されるようになってきた。記録媒体としてハードディスクとＤＶＤの両者に記録可能な記録装置も実用化されつつある。ハードディスクは記録容量が大きい反面取り外しが困難であり、ＤＶＤは記録容量が所定量に制限されるものの取り外しが可能であり、可搬性のある記録媒体として用いられている。
【０００３】
一方、ＢＳディジタル放送や地上ディジタル放送では高品質に圧縮符号化された映像信号が放送される一方、受信者側での記録は１媒体に制限するコピー制限がなされている。ハードディスクに記録された高画質のディジタル映像を、例えばＤＶＤにコピーすることも可能であるものの、コピー後にはハードディスクの記録内容を消去しなければならない。ＤＶＤの記録容量が十分である場合はハードディスクと同じ品質でＤＶＤに記録可能であるが、記録時間が長い場合などには符号化レートを低下させた高圧縮の画像に再エンコードして後に、ＤＶＤに記録することになる。その記録後にハードディスクの記録内容を消去する。高圧縮に再エンコードしたために符号化歪が発生する場合であっても、ハードディスクの記録内容は既に消去されているため、歪発生部分の圧縮率を変えて再符号化しても発生した歪を低減させることは出来ない。記録したディジタル映像信号を変換して再記録する際には、出来るだけ歪発生を少なくして再符号化信号を生成してＤＶＤに記録できることは好ましい。
【０００４】
特許文献１には、画質を最適化しながらレート変換ダビングを行うことを可能とする記録再生装置が開示されている。その装置は、予め変換前の動画像データのストリーム中に再符号化時に利用する符号化統計量を埋め込んでおき、再符号化時には埋め込まれた符号化統計量を基にしてレート変換を行うことにより画質劣化の少ない再符号化信号を生成して記録できるようにした記録再生装置、およびそのための記録再生方法が開示されている。
【特許文献１】特開２００３−３２４６８０号公報
【発明の開示】
【発明が解決しようとする課題】
【０００５】
しかしながら、特許文献１に開示されている記録再生装置では、ストリーム中に埋め込まれた符号化統計量を参照しながら符号化レートを変換して再記録するようにしているのみで、再符号化時に生じる符号化歪を視覚的な要求に応じた符号化レートで再符号化していなく、画像の種類によっては不満足な画質で再符号化されてしまうこともあり、特に１つの記録媒体にのみコピーの許可されるストリームでは再符号化を新たな符号化レートでやり直すことは出来ないため、一旦は高画質で記録したストリームの画質を高品質に保ったまま再符号化したストリームとして録画する記録再生装置を実現することはできなかった。
【０００６】
そこで、本発明は、上記のような問題点を解消するためになされたもので、再符号化時に生じる符号化歪を視覚的な要求に応じた符号化レートで再符号化し、特に１つの記録媒体にのみ許可されて記録したストリームを再生し、画質低下を小さくした新たな符号化レートで再符号化したストリームとして録画する記録再生装置および記録再生方法を提供することを目的とする。
【課題を解決するための手段】
【０００７】
本願発明における第１の発明は、第１の記録媒体に記録された符号化画像信号を、前記第１の記録媒体よりも記録容量が小さい第２の記録媒体に前記符号化画像信号とは異なる高符号化率に変換して記録再生する記録再生装置において、記録すべき画像信号を符号化した前記符号化画像信号を前記第１の記録媒体に記録する際に、前記符号化画像信号の単位時間当たりの情報量を測定する測定部と、前記符号化画像信号の単位時間当たりの情報量を検出し、この検出されたピークの両側に存在し、かつ前記ピークのレベルよりも所定割合低いレベルの２点間に存在する前記第１の記録媒体に記録された前記符号化画像信号のみを再生する再生手段と、前記再生手段で再生された前記符号化画像信号に基づいて、前記第１の記録媒体に記録された前記符号化画像信号を前記第２の記録媒体に記録可能にする符号化率を決定する符号化決定手段と、前記符号化決定手段で決定された符号化率で、前記第１の記録媒体に記録されている前記符号化画像信号を前記第２の記録媒体に記録する記録手段と、を備えたことを特徴とする記録再生装置を提供する。
第２の発明は、第１の発明に記載の記録再生装置であって、前記再生手段で再生される前記符号化画像信号は、前記ピークのレベルよりも所定割合低いレベルの２点間に存在する前記第１の記録媒体に記録された前記符号化画像信号の代わりに、前記ピークのレベルよりも所定割合低いレベルの２点間のうちの一方のレベル位置と前記ピークの位置に存在する信号であることを特徴とする記録再生装置を提供する。
第３の発明は、第１の記録媒体に記録された符号化画像信号を、前記第１の記録媒体よりも記録容量が小さい第２の記録媒体に前記符号化画像信号とは異なる高符号化率に変換して記録再生する記録再生方法において、記録すべき画像信号を符号化した前記符号化画像信号を前記第１の記録媒体に記録する際に、前記符号化画像信号の単位時間当たりの情報量を測定し、前記符号化画像信号の単位時間当たりの情報量を検出し、この検出されたピークの両側に存在し、かつ前記ピークのレベルよりも所定割合低いレベルの２点間に存在する前記第１の記録媒体に記録された前記符号化画像信号のみを再生し、前記再生された前記符号化画像信号に基づいて、前記第１の記録媒体に記録された前記符号化画像信号を前記第２の記録媒体に記録可能にする符号化率を決定し、前記決定された符号化率で、前記第１の記録媒体に記録されている前記符号化画像信号を前記第２の記録媒体に記録するようになすことを特徴とする記録再生方法を提供する。
【発明の効果】
【０００８】
本発明によれば、記録すべき画像信号を符号化した符号化画像信号を第１の記録媒体に記録する際に、符号化画像信号の単位時間当たりの情報量を測定し、符号化画像信号の単位時間当たりの情報量を検出し、この検出されたピークの両側に存在し、かつピークのレベルよりも所定割合低いレベルの２点間に存在する第１の記録媒体に記録された符号化画像信号のみを再生し、再生された符号化画像信号に基づいて、第１の記録媒体に記録された符号化画像信号を第２の記録媒体に記録可能にする符号化率を決定し、決定された符号化率で、第１の記録媒体に記録されている符号化画像信号を第２の記録媒体に記録する格別な構成があるので、再符号化時に生じる符号化歪を視覚的な要求に応じた符号化レートで再符号化し、特に１つの記録媒体にのみ許可されて記録したストリームを再生し、画質低下を小さくした新たな符号化レートで再符号化したストリームとして録画する記録再生装置を実現できる。
【発明を実施するための最良の形態】
【０００９】
以下に本発明の実施例に係る記録再生装置および記録再生方法について図１〜図８を用いて説明する。
図１は、本発明の実施に係る記録再生装置の構成例を示すブロック図である。図２は、本発明の実施に係る記録再生装置の要部の構成例を示すブロック図である。図３は、本発明の実施に係る記録再生装置の動作例を説明するための図である。図４は、本発明の実施に係る記録再生装置の動作例の要部を説明するための図である。図５は、本発明の実施に係る記録再生装置の動作の応用例を説明するための図である。図６は、本発明の実施に係る記録再生装置の動作表示例を説明するための図である。図７は、本発明の実施に係る記録再生装置の動作例（その１）をフローチャートで示した図である。図８は、本発明の実施に係る記録再生装置の動作例（その２）をフローチャートで示した図である。
【００１０】
その記録再生装置は再符号化時に生じる符号化歪を視覚的な要求に応じた符号化レートで再符号化し、特に１つの記録媒体にのみ許可されて記録したストリームを再生し、画質低下を小さくした新たな符号化レートで再符号化したストリームの録画を実現するという目的を、記録すべき画像信号を符号化した符号化画像信号を第１の記録媒体に記録する際に、符号化画像信号の単位時間当たりの情報量を測定する測定部と、符号化画像信号の単位時間当たりの情報量を検出し、この検出されたピークの両側に存在し、かつピークのレベルよりも所定割合低いレベルの２点間に存在する第１の記録媒体に記録された符号化画像信号のみを再生する再生手段と、再生手段で再生された符号化画像信号に基づいて、第１の記録媒体に記録された符号化画像信号を第２の記録媒体に記録可能にする符号化率を決定する符号化決定手段と、符号化決定手段で決定された符号化率で、第１の記録媒体に記録されている符号化画像信号を第２の記録媒体に記録する記録手段とを備えるようにして実現した。
【００１１】
記録再生装置の構成について述べる。
図１に示す記録再生装置１は放送受信部１１、選択部１２、映像・音声符号化部１３、切替部１４、ＨＤＤ（Hard Disk Drive）記録部１５、ＤＶＤ（Digital versatile Disc）記録部１６、映像・音声復号化部１７、多重部１７ａ、制御部１８、ユーザＩ／Ｆ（inter-face）１９とより構成される。
図２に示す記録再生装置１の要部である制御部１８は、難易度情報取得部１８１、難易度時間帯検出部１８２、再生時間帯設定部１８３、プレビュー信号再生制御部１８４、表示信号生成部１８５、及び装置制御部１８９より構成される。
【００１２】
記録再生装置の動作について述べる。
まず、放送受信部１１は受信アンテナから得られるアナログ放送信号を復調し音声信号の付されたアナログ映像信号（以降、単に映像信号と呼ぶ。）を得る。選択部１２は音声信号の付された映像信号を映像・音声符号化部１３に供給する。映像・音声符号化部１３は音声信号及び映像信号を例えばＭＰＥＧ（moving picture experts group）−２で規定される符号化方式に従って符号化し、ビットストリーム信号を得る。符号化は入力される映像信号の情報量に応じて符号化パラメータが変更されながら行われる。即ち、標準的な映像信号については標準的な動き予測を行い、予測して得られた画像信号をＤＣＴ（discrete cosine transform離散余弦変換）した後に、ＤＣＴで得られた周波数成分値を標準的な量子化ステップで量子化し、量子化して得られた量子化値をＶＬＣ（variable length coding可変長符号化）してビットストリームを得る。切替部１４は得られたビットストリームをＨＤＤ記録部１５に供給する。ＨＤＤ記録部１５は供給されたビットストリームを内蔵される図示しないＨＤＤに記録する。
【００１３】
操作により、ＨＤＤに記録されたビットストリームを符号量の小さなビットストリームに変換してＤＶＤにコピーする命令が発せられた場合に、制御部１８はＤＶＤにコピーされるビットストリームのプレビュー画面を提示するための動作を次の様に行う。即ち、プレビューする画面は、特に、符号量の小さなビットストリームに変換する際に生じやすい符号化歪が発生する箇所の区間を複数設定して表示させる。制御部１８は、設定された複数の区間のビットストリームをＨＤＤ記録部１５から順に再生させると共に、切替部１４は再生して得られたビットストリームを映像・音声復号化部１７に供給し、ビットストリームを復号化させ、音声信号の付された映像信号を得る。選択部１２は得られた音声信号の付される映像信号を映像・音声符号化部１３に供給する。映像・音声符号化部１３は符号量の小さなビットストリームを生成する。ＨＤＤ記録部１５は生成されたビットストリームを、例えば空き領域に記録する。ＨＤＤ記録部１５は転送レートの高いビットストリームの記録、再生ができるため、ＨＤＤ記録部１５からプレビューする箇所のビットストリームを読み出すと共に符号量が変換されたビットストリームを記録する動作の両者を行うことが出来る。プレビュー用の変換されたビットストリームの生成及び記録が終了した後に、ＨＤＤ記録部１５に記録されたプレビュー用の変換されたビットストリームを読出し、切替部１４を介して映像・音声復号化部１７に供給する。映像・音声復号化部１７は変換されたビットストリームを復号して得られる復号映像信号を切替部１４に出力する。多重部１７ａは切替部１４から供給される復号映像信号をプレビュー用映像信号として出力する。プレビュー用映像信号は使用者により確認され、符号化歪が生じているとされる箇所がある場合には、その箇所の符号量の指定を修正させる。ＨＤＤ記録部１５は空き領域に記録したプレビュー用ビットストリームを消去する。プレビューの後、修正された符号量により映像・音声符号化部１３で再符号化して得られたビットストリームは切替部１４を介してＤＶＤ記録部１６に供給され、そこで図示しないＤＶＤに記録される。記録したビットストリームが1つの媒体にのみ記録の許可されたビットストリームである場合はハードディスクに記録されていたビットストリームは消去される。また、ＨＤＤ記録部１５に記録されるプレビュー用ビットストリームはプレビュー以外の再生ができない様に再生禁止の状態にしておく。
なお、映像・音声復号化部１７が２つのビットストリームを復号化する能力を有する場合は、プレビュー用符号量の小さなビットストリームの復号を映像・音声復号化部１７で行うようにしても良い。また、映像・音声符号化部１３に内蔵される図示しない局部復号器から正常な復号映像信号を得られる場合には、その復号映像信号をプレビュー用映像信号として用いる方法もある。
【００１４】
図２を参照して制御部１８について詳細に説明する。
まず、難易度情報取得部１８１は、映像・音声符号化部１３で映像信号の符号化を行う際に選択された量子化ステップの幅と、符号化して得られるたビットストリームの符号量とを乗算した結果を難易度情報として取得する。入力される映像信号がＢＳ（broadcasting satellite）ディジタル放送乃至は地上ディジタル放送を受信して得られるビットストリームである場合には、ビットストリーム中に設けられるヘッダー情報から量子化ステップの幅情報及びビットストリームの符号量情報を取得しつつ、それらの情報を乗算して時刻ごとの難易度情報を得る。難易度時間帯検出部１８２は、難易度情報取得部１８１で得られる時間ごとの難易度情報の推移を調べ、難易度情報に極大値が存在するかを検出する。再生時間帯設定部１８３は極大値が検出された場合にその前後の時間をプレビュー再生のための区間として設定する。プレビュー信号再生制御部１８４は、ユーザＩ／Ｆ１９を介してＨＤＤに記録されたビットストリームをＤＶＤにコピーする操作が検出された場合はプレビュー動作を実行させる。即ち、再生時間帯設定部１８３で設定される再生時間帯の箇所のＨＤＤ記録部１５に記録されるビットストリームを順に再生させ、符号量の小さなビットストリームに変換したビットストリームに係る音声の付随された映像信号を映像・音声復号化部１７に供給してビットストリームを復号化させ、音声信号の付される映像信号を多重部１７ａを介して出力させる。表示信号生成部１８５は、難易度情報取得部１８１での難易度情報の取得に時間を要している場合や難易度時間帯検出部１８２での難易度時間帯の設定に時間を要している場合などでそのための待ち時間を表示したり、さらにプレビュー信号再生中には再生中の映像信号のタイトルなどを再生画面に多重して表示させるための表示信号を生成する。
装置制御部１８９は記録再生装置１の各回路の動作制御を行う。
【００１５】
図３を参照し、符号化難易度の高い区間をプレビューさせるための時間設定について述べる。
同図は、ＨＤＤに記録されたビットストリームの符号化難易度の時間変化を示したものである。難易度時間帯検出部１８２は、符号化難易度の変化が極大値を有する箇所を検出する。極大値は、時間と共に増加する符号化難易度の値が手前の値よりも例えば１．２５倍以上に増加して最大値が得られ、且つ最大値よりも０．８倍（0.8＝1/1.25）以下に減衰した場合に、その最大値を極大値とする。通常は１つのストリーム信号に複数の極大値が存在する。符号化難易度の値が極大値を有する場合に、その前後で極大値の例えば８０％以上の符号化難易度を与える期間をプレビュー用信号の再生区間として設定する。同図では、区間Ａ、Ｂ、及びＣが存在している。それらの区間には識別情報を付し、識別情報はプレビュー信号の再生箇所の制御や、表示信号生成部１８５が再生中のプレビュー信号の再生区間を多重表示させたりする制御信号生成用として用いられる。
【００１６】
複数の符号化難易度を有する区間をプレビュー信号の再生区間として設定するのは、符号化難易度の高い箇所が必ずしも視覚上の符号化歪量が多い箇所とは限らないことによる。例えば大雨の映像、木の葉が風で揺れている映像、漣のある海面など駒かなランダムな動きの映像の符号化難易度は高い。一方、人の顔の場合は符号化難易度が高くない場合であっても肌のつやが失われるなどの符号化歪が生じたりする。映像の種類により符号化歪が認識されやすかったり、認識され難かったりする。従って、符号量を変更した場合に生じる符号化歪が許容されるか否かの確認はシーンの毎に行い、符号化歪が許容されないとされる映像部分は、その部分に係る符号量の減少を少なくなるように設定して再符号化を行うようにする。
【００１７】
図４を参照し、区間の設定方法についてさらに述べる。
同図（Ａ）は図３に示した区間Ａの箇所を拡大した図である。区間Ａのプレビュー信号の再生は（１）から開始され、極大値（２）を経由して、（３）まで行われる。ここで、（１）から（２）までのプレビュー再生では符号化難易度が増加しているため符号化歪も増加する。（２）から（３）までの再生で符号化歪は減少する。一般に、符号化歪が新たに生じた場合や、符号化歪が増加傾向にある場合は視覚上認識され易い。減少傾向にある場合は許容され易い。そこで、区間(Ａ)の符号化歪のプレビューは（１）から（２）の区間のみを行っても構わない。同図（Ｂ）の区間Ｄは（１）から（２）の区間のみをプレビュー区間として設定している。（Ａ）に比し（Ｂ）は、符号量の小さなビットストリームに変換してコピーする場合の符号化歪の検出を遜色なく行え、且つプレビューの再生時間を短縮できる。
【００１８】
図５は、符号化難易度が増加傾向にある箇所のみをプレビュー再生箇所として示した図である。同図において、図４（Ｂ）と同様にプレビュー再生箇所が設定されている。区間Ｄ、Ｅ、Ｆの再生箇所は（イ）、（ハ）、（ニ）により示される箇所である。区間Ｅの手前の（ロ）として示される箇所は区間Ｄの極大値よりも大きな符号化難易度を有する箇所である。区間Ｅの変換レートを、予め設定された倍率で符号量の小さなビットストリームに変換するか、又は符号量の変換を予め設定された倍率よりも大きなビットストリームに変換するかは（ハ）の部分のプレビュー結果により決定される。限られた箇所のみをプレビュー再生することで、プレビュー時間を短縮している。
【００１９】
図６を参照し、表示画面について述べる。
同図（Ａ）は、ＨＤＤに記録されたストリーム信号を、符号量の小さなビットストリームに変換してコピーする操作情報がユーザＩ／Ｆ１９を介して得られた場合に、上記の限られた区間のみをプレビュー再生動作するための待ち時間を表示したものである。難易度変更ボタンは図３に示した再生する区間を決定するためのピーク値に対する再生範囲の区間を決定するための難易度の指定比率を変更するためのボタンである。デフォルト値として設定される例えば難易度８０％を８５％に変更するとプレビューのための再生区間が短くなる。
即  コピー開始ボタンは、符号量の変更度合いが小さい場合など、符号量変更後の画質確認が必要ないとされる場合に操作されるボタンである。プレビューを行うことなくＨＤＤからＤＶＤへのコピーを開始する。
図６（Ｂ）はプレビュー再生中の表示画面である。再生中のビットストリーム名、再生個所の時間、及び符号量の変更が必要とされる場合に押下されるボタンが表示されている。符号量変更のボタン操作により、映像・音声符号化部１３でデフォルト値として設定されている量子化ステップの変更をさせる。
入力される映像信号の経過時間と符号化難易度との関係は、再生時間帯設定部１８３に記憶される図示しないＲＡＭなどに記憶された符号化難易度テーブルにより管理される。符号化難易度テーブルは符号量変更ボタンの押下により図示しない記述内容変更画面が表示され、符号量の再設定操作がなされた後に、再プレビュー動作がなされるようになっている。
【００２０】
図７を参照し、記録再生装置１の信号処理の流れについて述べる。
ＨＤＤ等の記録媒体に記録されたストリーム信号の符号量を変換してＤＶＤなどの記録媒体にコピーする操作が検出された場合に、Ｓ（ステップ）７１で符号化難易度に係り記憶されている識別情報を制御部の図示しないＲＡＭに読み込む。Ｓ７２で、符号量変換に係る識別情報があるかを検出し、識別情報が検出されない場合にはＳ７３で記録再生装置１の空き時間などにＨＤＤ記録部１５に記録されているビットストリームを読み出しては量子化ステップ幅と符号量とを解析し、符号化難易度情報に係る識別情報を生成して記憶する。その後、Ｓ７１からの処理を繰り返す。識別情報が検出された場合には、Ｓ７４で符号化難易度が極大値を有する個所を含み、再生時間帯設定部１８３で再生区間として設定される箇所をプレビュー再生位置として決定する。Ｓ７５で、プレビュー準備中のメッセージを表示した後、Ｓ７６で所定の転送レートにレート変換の仮符号化を実行する。Ｓ７７でプレビューの自動再生を実行する。Ｓ７８で、プレビューの再生結果より符号量の変更が必要であるとする操作がなされた場合にはＳ７９で該当する箇所の変換レートを変更した後Ｓ７５からの動作を繰り返し、符号量の設定がＯＫであるとして操作された場合にはＳ８１でプレビュー時に設定した条件で変換符号化（再符号化）を行い、ＨＤＤの記録内容をＤＶＤにコピーする。Ｓ８２でコピーする符号化信号がさらにあるかを検出し、ある場合はＳ８１からの動作を繰り返す。ＨＤＤに記録されている映像信号が１媒体にのみコピー許可された信号である場合は、ＤＶＤへ変換符号化した信号をコピーした後にＨＤＤに記録されている映像信号を消去する。
【００２１】
図８を参照し、プレビュー実行用識別情報が生成されていないディジタル映像信号（コンテンツ）の識別情報生成処理について述べる。この処理は、ＤＶＤ記録部１６に記録されるビットストリームに量子化ステップに係る情報や符号量に係る情報がなく、ビットストリームをＨＤＤ記録部１５に記録する際に符号化難易度情報を得られなかったビットストリームに対して識別情報を生成する処理である。
Ｓ９１において識別情報が生成されてない映像信号を取得する。Ｓ９２で、映像・音声符号化部１３は他の映像信号の符号化中であるなど処理中であり、ビジー状態にあるかを検出する。ビジー状態として検出されない場合はＳ９３で映像・音声復号化部１７は他の映像信号の復号化中であるなど処理中であり、ビジー状態にあるかを検出する。ビジー状態として検出される場合はＳ９６で所定時間待機する。ビジー状態として検出されない場合はＳ９４でレート変換仮符号化を実行し符号化難易情報を得る。Ｓ９５でプレビュー実行用識別情報を作成する。Ｓ９２、Ｓ９３で符号化乃至は復号化が実行中で、ビジー状態として検出された場合はＳ９６で所定時間待機する。Ｓ９７で待機回数を計数し、Ｓ９８で係数値が所定数以下として検出される場合はＳ９２からのステップを繰り返す。係数値が所定数を越えたとして検出される場合は、一旦、今回の識別情報の生成処理を終了させる。
【００２２】
以上のように、本実施例によれば、予め第１の記録媒体に記録された符号化画像信号の記録開始からの経過時間に対する符号化画像信号の符号化難易度の関係を難易度経過情報として得る難易度情報取得手段１８１と、難易度情報取得手段で得られた経過時間に対する符号化画像信号の符号化難易度のうち、経過時間に対する符号化難易度の増加が増加前の符号化難易度よりも所定の倍率を越えて増加した場合の増加開始時点での経過時間から、増加後の減衰が減衰前の符号化難易度よりも所定の倍率以下に減衰した場合の減衰到達時点での経過時間までを難易時間帯として複数検出する難易時間帯検出手段１８２と、難易時間帯検出手段で検出された難易時間帯での符号化難易度が極大値を与える経過時間を難易極大経過時間とし、難易極大経過時間の近傍の時間帯をプレビュー再生時間帯として設定する再生時間帯設定手段１８３と、第１の転送レートで圧縮符号化され第１の記録媒体に記録された符号化画像信号のうち、再生時間帯設定手段で設定されたプレビュー再生時間帯の符号化画像信号を読出し、第２の転送レートで圧縮符号化された変換符号化画像信号に変換して得られた信号を第２の記録媒体に記録されるプレビュー信号として再生するプレビュー信号再生手段１８４とを備える格別な構成があるので、再符号化時に生じる符号化歪を視覚的な要求に応じた符号化レートで再符号化し、特に１つの記録媒体にのみ許可されて記録したストリームを再生し、画質低下を小さくした新たな符号化レートで再符号化したストリームとして録画する記録再生装置を実現できる。
【図面の簡単な説明】
【００２３】
【図１】本発明の実施に係る記録再生装置の構成例を示すブロック図である。
【図２】本発明の実施に係る記録再生装置の要部の構成例を示すブロック図である。
【図３】本発明の実施に係る記録再生装置の動作例を説明するための図である。
【図４】本発明の実施に係る記録再生装置の動作例の要部を説明するための図である。
【図５】本発明の実施に係る記録再生装置の動作の応用例を説明するための図である。
【図６】本発明の実施に係る記録再生装置の動作表示例を説明するための図である。
【図７】本発明の実施に係る記録再生装置の動作例（その１）をフローチャートで示した図である。
【図８】本発明の実施に係る記録再生装置の動作例（その２）をフローチャートで示した図である。
【符号の説明】
【００２４】
１    記録再生装置
１１    放送受信部
１２    選択部
１３    映像・音声符号化部
１４    切替部
１５    ＨＤＤ記録部
１６    ＤＶＤ記録部
１７    映像・音声復号化部
１７ａ    多重部
１８    制御部
１９    ユーザＩ／Ｆ
１８１    難易度情報取得部
１８２    難易度時間帯検出部
１８３    再生時間帯設定部
１８４    プレビュー信号再生制御部
１８５    表示信号生成部
１８９    装置制御部
【図１】
2008130206.tif 000003
【図２】
2008130206.tif 000004
【図３】
2008130206.tif 000005
【図４】
2008130206.tif 000006
【図５】
2008130206.tif 000007
【図６】
2008130206.tif 000008
【図７】
2008130206.tif 000009
【図８】
2008130206.tif 000010